(57)【特許請求の範囲】
【請求項１】
外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カムに沿って摺動できるように上記ノブトップの内面に設けられた摺動ピンと、上記ノブトップとノブ主体との間に縮設されノブトップを常時上記第２の位置方向に付勢するスプリングとからなり、上記カム溝は上記ノブトップを上記第１の位置に保持するために上記摺動ピンを係止する第１の係合部と、上記第１の位置に保持された上記ノブトップを押下すると該ノブトップを時計周りに回動して第１の当接部まで案内する円弧状内壁面と、該第１の当接部に到達したときに上記ノブトップの押下を停止したときに上記スプリングの復元力によりさらにノブトップを時計周りに回動する傾斜部と、該傾斜部に連なる円弧状部と、該円弧状部の突き当たりで上記摺動ピンが係合して第２の位置に保持する第２の係合部と、を備え、
上記ノブトップが上記第１の位置にあるときに、該ノブトップに上記スプリングに抗して押し込み力を付加することにより上記摺動ピンを上記第１の係合部より離脱させ、その後は上記スプリングの復元力でノブトップを上記第２の位置に移動させるようにし、
上記ノブトップが上記第２の位置にあるときに、該ノブトップを上記第２の位置より反時計方向に押し下げ、上記スプリングに抗して押し込み力を付加することにより上記摺動ピンを上記第２の係合部より離脱させ、上記カム溝の円弧状部内を降下し、該円弧状部を抜け出して上記円弧状内壁面を経た後、その後は上記スプリングの復元力でノブトップを上記第１の位置に移動させるようにしたことを特徴とするプッシュスイッチ。
【請求項２】
上記ノブトップを操作することでスクロール機能を備えたことを特徴とする請求項１に記載のプッシュスイッチ。
【請求項３】
上記ノブトップを押し込み操作することで入力操作ができるようにしたことを特徴とする請求項１又は請求項２に記載のプッシュスイッチ。
【請求項４】
外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カム溝に沿って摺動できるように上記ノブトップの内面に設けられた摺動ピンと、上記ノブトップとノブ主体との間に縮設され上記ノブトップを常時上記第２の位置方向に付勢するスプリングとからなるプッシュスイッチを備え、更に上記カム溝は上記ノブトップを上記第１の位置に保持するために上記摺動ピンを係止する第１の係合部と、上記第１の位置に保持された上記ノブトップを押下すると該ノブトップを時計周りに回動して第１の当接部まで案内する円弧状内壁面と、該第１の当接部に到達したときに上記ノブトップの押下を停止したときに上記スプリングの復元力によりさらにノブトップを時計周りに回動する傾斜部と、該傾斜部に連なる円弧状部と、該円弧状部の突き当たりで上記摺動ピンが係合して第２の位置に保持する第２の係合部と、を備え、
上記ノブトップが上記第１の位置にあるときに、該ノブトップに上記スプリングに抗して押し込み力を付加することにより上記摺動ピンを上記第１の係合部より離脱させ、その後は上記スプリングの復元力でノブトップを上記第２の位置に移動させるようにし、
上記ノブトップが上記第２の位置にあるときに、該ノブトップを上記第２の位置より反時計方向に押し下げ、上記スプリングに抗して押し込み力を付加することにより上記摺動ピンを上記第２の係合部より離脱させ、上記カム溝の円弧状部内を降下し、該円弧状部を抜け出して上記円弧状内壁面を経た後、その後は上記スプリングの復元力でノブトップを上記第１の位置に移動させるようにしたことを特徴とする電子機器。
【請求項５】
ロックスイッチを設け、該ロックスイッチを操作することにより上記プッシュスイッチの機能を無効化するようにしたことを特徴とする請求項４に記載の電子機器。
【請求項６】
入力キー部のいずれかに特定のキーを所定時間操作することにより上記プッシュスイッチの機能を無効化するようにしたことを特徴とする請求項４又は請求項５に記載の電子機器。
【発明の詳細な説明】
【０００１】
【発明の属する技術分野】
本発明は、プッシュスイッチ及びプッシュスイッチを備えた電子機器に関するものである。
【０００２】
【従来の技術】
従来のプッシュスイッチとしては、特開昭６３−３０１４３６号公報又は実開昭５８−５５３２５号公報に開示されたものがある。これらの公報に開示されているプッシュスイッチは、ハート形状の無端カム溝に案内ピンを係合させ、プッシュスイッチを押し下げたときスイッチ接点をＯＮするとともにハート形状のカム溝を利用してこの押し下げ状態を保持し、再度プッシュスイッチを押し下げたときプッシュスイッチを元の状態に戻すとともにスイッチ接点をＯＦＦする構造を有している。
【０００３】
【発明が解決しようとする課題】
しかしながら、これらの従来のプッシュスイッチは、プッシュスイッチの押し下げによって単にスイッチをＯＮ、ＯＦＦするだけの構造であり、機能性や操作性を要求される電子機器には必ずしも適しているものではなかった。
【０００４】
本発明は、従来のプッシュスイッチの課題に鑑みて発明されたものであり、操作性や機能性に優れたプッシュスイッチを提供することを目的とする。
【0007】
【課題を解決するための手段】
上記目的を達成するため本発明のプッシュスイッチは、外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カムに沿って摺動できるように上記ノブトップの内面に設けられた摺動ピンと、上記ノブトップとノブ主体との間に縮設されノブトップを常時上記第２の位置方向に付勢するスプリングとからなり、上記カム溝は上記ノブトップを上記第１の位置に保持するために上記摺動ピンを係止する第１の係合部と、上記第１の位置に保持された上記ノブトップを押下すると該ノブトップを時計周りに回動して第１の当接部まで案内する円弧状内壁面と、該第１の当接部に到達したときに上記ノブトップの押下を停止したときに上記スプリングの復元力によりさらにノブトップを時計周りに回動する傾斜部と、該傾斜部に連なる円弧状部と、該円弧状部の突き当たりで上記摺動ピンが係合して第２の位置に保持する第２の係合部と、を備え、上記ノブトップが上記第１の位置にあるときに、該ノブトップに上記スプリングに抗して押し込み力を付加することにより上記摺動ピンを上記第１の係合部より離脱させ、その後は上記スプリングの復元力でノブトップを上記第２の位置に移動させるようにし、上記ノブトップが上記第２の位置にあるときに、該ノブトップを上記第２の位置より反時計方向に押し下げ、上記スプリングに抗して押し込み力を付加することにより上記摺動ピンを上記第２の係合部より離脱させ、上記カム溝の円弧状部内を降下し、該円弧状部を抜け出して上記円弧状内壁面を経た後、その後は上記スプリングの復元力でノブトップを上記第１の位置に移動させるようにしたものである。
【０００８】
この構成によれば、ノブトップに押し込み力を加えるだけで、ノブ主体に対するノブトップの位置を簡単に可変することができる。しかも、この発明では摺動ピンを摺動ピンを第１及び第２の係合部に係止させることにより、ノブトップをノブ主体上の異なる２つの位置に保持させることができ、プッシュスイッチに優れた機能性と操作性を持たせることができる。
【０００９】
更に、上記ノブトップにスクロール機能を持たせていることから、プッシュスイッチの機能性と操作性をより向上させることができる。
【００１０】
また、上記ノブトップを押し込み操作することで入力操作ができるようにしているので、プッシュスイッチの機能性及び操作性を更に向上させることができる。
【００１３】
また、本発明の電子機器は、外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カム溝に沿って摺動できるように上記ノブトップの内面に設けられた摺動ピンと、上記ノブトップとノブ主体との間に縮設され上記ノブトップを常時上記第２の位置方向に付勢するスプリングとからなるプッシュスイッチを備え、更に上記カム溝は上記ノブトップを上記第１の位置に保持するために上記摺動ピンを係止する第１の係合部と、上記第１の位置に保持された上記ノブトップを押下すると該ノブトップを時計周りに回動して第１の当接部まで案内する円弧状内壁面と、該第１の当接部に到達したときに上記ノブトップの押下を停止したときに上記スプリングの復元力によりさらにノブトップを時計周りに回動する傾斜部と、該傾斜部に連なる円弧状部と、該円弧状部の突き当たりで上記摺動ピンが係合して第２の位置に保持する第２の係合部と、を備え、上記ノブトップが上記第１の位置にあるときに、該ノブトップに上記スプリングに抗して押し込み力を付加することにより上記摺動ピンを上記第１の係合部より離脱させ、その後は上記スプリングの復元力でノブトップを上記第２の位置に移動させるようにし、上記ノブトップが上記第２の位置にあるときに、該ノブトップを上記第２の位置より反時計方向に押し下げ、上記スプリングに抗して押し込み力を付加することにより上記摺動ピンを上記第２の係合部より離脱させ、上記カム溝の円弧状部内を降下し、該円弧状部を抜け出して上記円弧状内壁面を経た後、その後は上記スプリングの復元力でノブトップを上記第１の位置に移動させるようにしたものである。
【００１４】
この構成によれば、ノブトップに押し込み力を加えるだけで、ノブ主体に対するノブトップの位置を簡単に可変することができる。しかも、この発明では摺動ピンを第１及び第２の係合部に係止させることによりノブトップをノブ主体上の異なる２つの位置に保持させることができ、プッシュスイッチに優れた機能性と操作性を持たせることができる。
【００１５】
そして、ロックスイッチを設け、該ロックスイッチを操作することにより上記プッシュスイッチの機能を無効化するようにすると、ロックスイッチを操作することでプッシュスイッチの機能を無効化できるので、より操作性に優れた電子機器を提供できる。
【００１６】
或いは、入力キー部のいずれかに特定のキーを所定時間操作することにより上記プッシュスイッチの機能を無効化するようにすると、入力キー部のいずれかの特定のキーを所定時間操作することでプッシュスイッチの機能を無効化できるので、より機能性に優れた電子機器を提供できる。
【００２１】
【発明の実施の形態】
以下、本発明の実施形態を図面に従って詳細に説明する。
＜第１の実施形態＞
図１〜図４は、本発明に係るプッシュスイッチの第１の実施形態を示す図であり、これらの図から明らかなように、プッシュスイッチ１はスイッチ本体２とスイッチノブ３とから構成されている。
【００２２】
そして、スイッチノブ３は、外周面に図５（ａ）に示すような形状の無端のカム溝９を備えている上端開口の円柱状の筒状部８を基台部７上に一体的に形成した構造のノブ主体４と、下端を開口したキャップ状の筒体であって、内面に設けた一対の摺動ピン１０，１０を上記カム溝９に摺動可能に係合させるように上記筒体部８に嵌合されているノブトップ５と、上記筒体部８内に縮設されて上記ノブトップ５を上方に付勢しているスプリング６とから構成されている。なお、ノブ主体４およびノブトップ５は、スイッチ本体２に対して回転可能に支持されているものとする。
【００２３】
上記カム溝９は、図５（ａ）に示されるように、筒体部８の外周面に沿って同一の形状及び深さで形成された４つのカム部９０から構成されている。そして、各カム部９０は、図５（ｂ）に示すように、順次連続する第１の係合部９ａ、円弧状内壁面９ｂ、第１の当接部９ｃ、傾斜部９ｄ、円弧状部９ｅ、入口９ｆ、当たり部９ｇ、第２の係合部９ｈ、円弧状内壁面９ｉ、第２の当接部９ｊ及び傾斜部９ｋからなっている。
【００２４】
このような構造のプッシュスイッチ１において、ノブトップ５が図１及び図２に示すように、押し込まれているときには、該ノブトップ５の摺動ピン１０、１０が、図５（ｂ）に示されるようにそれぞれ対応するカム部９０における始点Ａ点に位置している。即ち、摺動ピン１０はカム溝９の始点Ａにおいて第１の係合部９ａに係合し、上記スプリング６の復元力に抗してノブトップ５をノブ主体４の筒体部８に最も多く挿入した最下端（第１の位置）の位置にさせている。この第１の係合部９ａは、カム溝９の始点Ａの上部及び側部をなしている。
【００２５】
この状態において、ノブトップ５をスプリング６に抗して若干押し下げると、上記摺動ピン１０は第１の係合部９ａより離脱して円弧状内壁面９ｂを経て図５（ｂ）中のＢ点の位置に至る。このＢ点は、上記第１の係合部９ａより筒体部８の外周において時計回り（図５（ａ）中のＲの方向）に少し離れた位置で、かつ第１の係合部９ａより少し低い位置にあり、上記カム溝９は、この位置に上記内壁面９ｂに連続している第１の当接部９ｃを備えている。
【００２６】
従って、このＢ点では摺動ピン１０は、第１の当接部９ｃに当接するが、この状態でノブトップ５から手を離すと、ノブトップ５はスプリング６の復元力によって上方向に上昇し、これに相俟って摺動ピン１０はカム溝９内をＢ点からＣ点に移動する。このＣ点は、Ｂ点よりも遙かに高い位置にあり、かつ上記第１の係合部９ａ及び第１の当接部９ｃより筒体部８の外周面において時計回り（Ｒの方向）に離れた位置にある。
【００２７】
このＢ点よりＣ点に至るカム溝９の形状であるが、Ｂ点より直ぐ上の部分は傾斜部９ｄとなっており、これを過ぎると大きな円弧状部９ｅとなってその突き当たりが最も高所となって第２の係合部９ｈを形成している。そしてこの円弧状部９ｅの入口９ｆには当たり部９ｇを形成している。
【００２８】
従って、上記のように摺動ピン１０がＢ点に至ったときにノブトップ５より手離すと、該ノブトップ５がスプリング６の復元力によって上昇するに伴って、摺動ピン１０は、まず、傾斜部９ｄに沿って上昇するとともに入口９ｆの当たり部９ｇに当たった後、円弧状部９ｅ内をＣ点の第２の係合部９ｈまで上昇する。このとき、ノブトップ５は筒体部８より最も多く抜け出した最上端（第２の位置）に位置し、操作が可能となる。
【００２９】
即ち、ノブトップ５をこの第２の位置にある起立した状態で回転させると、該ノブトップ５とともにノブ主体４が回転し、これに伴って該ノブ主体４の回転がその基台部７の底面中央に形成した係合孔７ａを介してスイッチ本体２のスイッチ軸２ａに伝達され、スイッチを操作することになる。
【００３０】
このようなスイッチ操作が可能なノブトップ５の起立状態において、次に、ノブトップ５をこの第２の位置より反時計方向（Ｒと反対方向）に押し下げると、摺動ピン１０は上記カム溝９の円弧状部９ｅ内を降下し、該円弧状部９ｅを抜け出しててその入口９ｆとは反対側の円弧状内壁面９ｉを経て図５中のＤ点の位置に至る。
【００３１】
このＤ点は、上記円弧状部９ｅの入口９ｆより筒体部８の外周において時計回りの方向に少し離れた位置で、しかも入口９ｆ及び上記第１の係合部９ａより低く、かつ上記Ｂ点と同じ高さの位置にある。そして、上記カム溝９は、このＤ点に上記内壁面９ｉに連続している第２の当接部９ｊを備えている。
【００３２】
上記のように摺動ピン１０がＤ点に至ったときにノブトップ５より手を離すと、上記ノブトップ５がスプリング６の復元力によって上方向に付勢されていることから、摺動ピン１０が第２の当接部９ｊとの係合を解除されて途中カム溝９の傾斜部９ｋを経て次のカム部９０（第２のカム部）のＡ点に上昇し、該第２のカム部９０の第１の係合部９ｌに係合することとなる。その結果、ノブトップ５を筒体部８の第２のカム部９０において上記第１の位置に保持する。
【００３３】
＜第２の実施形態＞
図６は、本発明の第２の実施形態に係るプッシュスイッチの構成を示す図であり、この図から明らかなように、この第２の実施形態のプッシュスイッチ１は、上記第１の実施形態のスイッチノブ３をＸ又はＹ方向に入力操作可能に構成している。
【００３４】
このように構成することにより、スイッチノブ３にＺ方向への押し込み操作に加えて、２方向へのスクロール機能を持たせることが可能となる。勿論、Ｘ及びＹ方向に入力操作が可能なように構成してもよく、その場合には、スイッチノブ３にＺ方向への押し込み操作に加えて、４方向へのスクロール機能を持たせることが可能となる。
【００３５】
＜第３の実施形態＞
図７は、本発明の第３の実施形態を示す図であり、この図から明らかなように、この実施形態では、上記第１及び第２の実施形態で示したプッシュスイッチ１を電子機器である携帯電話機１１に搭載している。
【００３６】
この携帯電話機１１は、表示部１２、レシーバ部１３、マイクロフォン部１４、数字や文字などの入力キー部１５、アンテナ部１６を備えたもので、上記プッシュスイッチ１を本体上において上記表示部１２と入力キー部１５との間に設けている。
【００３７】
この実施形態において、電子機器、即ち携帯電話機を使用する場合、プッシュスイッチ１のスイッチノブ３を図８及び図９に示すように、上記第２の位置に起立させた状態とし、上記第２の実施形態で示したように、当該スイッチノブ３をＺ方向への押し込み入力操作とともにＸ及びＹ方向へスクロールさせることにより、携帯電話機１１に多くの機能をもたせることができるとともに操作性の向上を図ることができる。
【００３８】
また、携帯電話機１１を使用しない場合、図１０及び図１１に示すように、上記起立状態からスイッチノブ３を第１の位置に落ち込ませることにより、携帯電話機１１の形状をコンパクトにすることができ、携帯電話機１１の携帯性を向上させることができる。
【００３９】
＜第４の実施形態＞
図１２は、本発明の第４の実施形態を示す図であり、この図から明らかなように、この実施形態では、上記第３の実施形態で示した電子機器である携帯電話機１１の右側壁にプッシュスイッチ１の押し込み入力機能を無効にするロックスイッチ１７を備えている。
【００４０】
このような構成において、この実施形態では図１３に示すような動作を実行する。即ち、キー入力待ちの状態（ステップＳ１）において携帯電話機１１に備えられた制御回路（図示せず）は、ロックスイッチ１７が操作されたか否かを判断する（ステップＳ２）。このステップＳ２において、ロックスイッチ１７が操作されていない場合、即ちＮＯの場合には、制御回路はプッシュスイッチ１の押し込み入力機能を有効化の状態となった上で（ステップＳ３）、プッシュスイッチ１などのキー入力待ちの状態となる（ステップＳ５）。
【００４１】
一方、上記ステップＳ２において、ロックスイッチ１７が操作された場合、即ちＹＥＳの場合には、制御回路はロックスイッチ１７がＯＮされたことを検知してプッシュスイッチ１の入力を無効化する状態となる（ステップＳ４）。そして、制御回路はこのプッシュスイッチ１の入力を無効にする状態になった上で、上記ステップＳ５に入り、プッシュスイッチ１以外のキー入力待ち状態になる。
【００４２】
＜第５の実施形態＞
この実施形態では上記第４の実施形態におけるロックスイッチ１７を設けることなく、プッシュスイッチ１の押し込み入力機能を有効及び無効化をソフトウエアにて処理する方法を提供するものである。
【００４３】
即ち、この実施形態では入力キー部１５の特定の数字や文字などのキーを所定時間の長押しすることでプッシュスイッチ１の押し込み入力機能を有効及び無効化を決定するものである。
【００４４】
図１４は、この第５の実施形態を示す図であり、キー入力待ちの状態（ステップＳ１１）において携帯電話機１１に備えられた制御回路（図示せず）は、入力キー部１５の特定キーが所定時間操作されたか否かを判断する（ステップＳ１２）。このステップＳ１２において、特定キーが操作されない場合には、制御回路はキー操作がない、即ち「未入力」と判断してステップＳ１５に移行し、他のキー入力待ちの状態となる。
【００４５】
一方、ステップＳ１２において、特定キーに対して所定時間の操作ではなく、それより短い通常の時間幅での操作があると、当該特定キーの通常のキー入力処理を行い、キー入力待ちのステップＳ１５へと進む。
【００４６】
また、他方上記ステップＳ１２において、特定キーに対して所定時間の長押しがあると、制御回路は「長押し」と判断して次のステップＳ１５に移行し、他のキー入力待ちの状態となる。
【００４７】
これらステップＳ１１、Ｓ１２及びＳ１４の実行で、プッシュスイッチ１の押し込み入力機能の無効化処理が実行されたことになるが、これを解除するには、上記特定キーを改めて所定時間長押しすればよい。
【００４８】
即ち、上記ステップＳ１５のキー入力待ちの状態において、再度特定キーを所定時間操作すれば制御回路はそのキーの操作時間をカウントして、その操作時間が所定時間経過すると、特定キーが長押しされたと判断して（ステップＳ１６）、プッシュスイッチ１の押し込み入力機能の無効化を解除し、当該プッシュスイッチ１の押し込み入力機能を有効化する（ステップＳ１８）。
【００４９】
このとき、ステップＳ１６において、特定キーが操作されない場合には、上記ステップＳ１２及びＳ１５と同様に制御回路はキー操作がない、即ち「未入力」と判断してステップＳ１９に移行し、他のキー入力待ちの状態となる。
【００５０】
また、ステップＳ１６において、特定キーが通常時間幅で操作されると、ステップＳ１７に移行し、上記ステップＳ１３及びＳ１５と同様に制御回路は特定キーが通常時間操作されたと判断して、キー入力待ちのステップＳ１９へと進む。
【００５１】
＜第６の実施形態＞
図１５及び図１６は、本発明の第６の実施形態を示しており、これらの図から明らかなように、この実施形態では、携帯電話機１１の表示部１２と入力キー部１５との間に一対のプッシュスイッチ１、１を設け、これら両プッシュスイッチ１、１を上記第５の実施形態で示したソフトウエア処理することによって、それぞれ押し込み入力機能を無効化している。
【００５２】
そして、本実施形態では、特に、携帯電話機１１にゲーム機能を持たせるために各種プッシュスイッチについてスクロール機能のみの入力が可能にするとともに、左右の親指で操作可能にしている。
【００５３】
＜第７の実施形態＞
図１７及び図１８は、本発明の第７の実施形態を示しており、この実施形態では、携帯電話機１１などの電子機器に上記プッシュスイッチ１を装設するともに、該プッシュスイッチ１の近くに検知スイッチ１８を設け、そして、該検知スイッチ１８の検知バー１９の先端を上記プッシュスイッチ１のノブトップ５の下端周縁が上下する経路途中に位置させている。
【００５４】
この構成により、図１７に示すように、プッシュスイッチ１のノブトップ５を押し下げて検知スイッチ１８をＯＮ状態とし、また、図１８のようにノブトップ５を第１の位置から起立させて第２の位置に設定すると、該ノブトップ５の下端周縁が検知バー１９から離脱して検知スイッチ１８をＯＦＦ状態とする。即ち、この実施形態では、検知スイッチ１８でプッシュスイッチ１の状態を判別し、その結果に応じてプッシュスイッチ１の入力操作の有効化又は無効化を切り替えるようにしている。
【００５５】
＜第８の実施形態＞
図１９及び図２０は、本発明の第８の実施形態を示しており、この実施形態では、携帯電話機１１として本体部である操作本体部１１ａと蓋体部である表示体部１１ｂを連結ヒンジ１１ｃにて開閉、即ち折り畳み可能に形成した折り畳み式携帯電話機１１を適用している。そして、操作本体部１１ａにはプッシュスイッチ１、マイクロフォン部１４及び数字や文字などの入力キー部１５を備えている。
【００５６】
この構成において、上記プッシュスイッチ１の構造は、上記第１の実施形態と略同一であるが、ノブ主体４に形成しているカム溝９は当該第１の実施形態のものとは異なり図２０に示すような形状となっている。
【００５７】
即ち、カム溝９１は、逆Ｊの字型に形成され、このような形状の一対のカム溝９１、９１がノブ主体４の筒体部８の外周面に互いに１８０°離間して設けられている。
【００５８】
そして、これらのカム溝９１、９１にノブトップ５の摺動ピン１０、１０が係合しており、ノブトップ５は摺動ピン１０、１０がカム溝９１、９１に沿って上下することによって上下に移動することができる。
【００５９】
上記構成において、携帯電話１１が折り畳まれた状態では、図２１に示すように、蓋体部である表示体部１１ｂがプッシュスイッチ１のノブトップ５をスプリング６に抗して押し込んでおり、該プッシュスイッチ１はノブトップ５のこの状態（非操作状態）を維持する。
【００６０】
このとき、摺動ピン１０はカム溝９１の最下端９１ａに位置している。次に、折り畳まれた携帯電話機１１を連結ヒンジ１１ｃを支軸として開くと、ノブトップ５は表示体部１１ｂの押圧力により自由になるため図２２に示すように、スプリング６の復元力によって持ち上げられ、これに相俟って摺動ピン１０は、最下端９１ａより最上端９１ｂに移動する。その結果、プッシュスイッチ１は操作可能な状態に設定され、スクロール機能などを実行することができる。
【００６１】
＜第９の実施形態＞
この実施形態では携帯電話機１１の本体側面に図１２に示すように、全ての入力キーの入力操作を無効にする無効化スイッチ２０を備えている。この無効化スイッチ２０の入力信号は図２３のフローチャートに示すようなソフトウエア処理が行われる。即ち、キー入力待ちの状態（ステップＳ２１）よりステップＳ２２において制御回路は無効化スイッチ２０がＯＦＦであるか否かを監視し、このステップＳ２２において該無効化スイッチ２０がＯＦＦであると、入力キー部１５のキー入力を待つステップＳ２３に進む。
【００６２】
一方、ステップＳ２２において無効化スイッチ２０がＯＮされると、再び無効化スイッチ２０がＯＦＦされるのを待つ状態となる。
【００６３】
＜第１０の実施形態＞
この実施形態は、上記第９の実施形態のような無効化スイッチ２０によって全ての入力キーの入力を無効にする方法に替えて、上記第５の実施形態のようにソフトウエア処理にて全ての入力キーの入力を無効にするものである。即ち、この実施形態では、入力キー部１５の特定の数字や文字などのキーを所定時間の長押しすることで全ての入力キーの入力を無効化を決定するものである。
【００６４】
図２４は、この第１０の実施形態を示す図であり、キー入力待ち状態（ステップＳ３１）において携帯電話機１１に備えられた制御回路（図示せず）は、入力キー部１５の特定キーが所定時間操作されたか否かを判断する（ステップＳ３２）。このステップＳ３２において、特定キーが操作されない場合には、制御回路はキー操作がない、即ち「未入力」と判断してステップＳ３６に移行し、他のキーの入力待ちの状態となる。
【００６５】
一方、ステップＳ３２において、特定キーに対して所定時間の操作ではなく、それより短い通常の時間幅での操作があると、制御回路は特定キーの「通常入力」と判断して次のステップＳ３３において、当該特定キーの通常のキー入力処理を行い、キー入力待ちのステップＳ３６へと進む。
【００６６】
また、他方上記ステップＳ３２において、特定キーに対して所定時間の長押しがあると、制御回路は「長押し」と判断して次のステップＳ３４において、全ての入力キーの入力操作の無効化処理を行う。
【００６７】
これらステップＳ３１、Ｓ３２及びＳ３４の実行で、全ての入力キーの入力操作の無効化処理が実行されたことになるが、これを解除するには、上記特定キーを改めて所定時間の間長押しすればよい。
【００６８】
即ち、再度特定キーを所定時間操作すれば制御回路は、そのキーの操作時間をカウントして、その操作時間が所定時間経過すると、特定キーが長押しされたと判断して（ステップＳ３５）、全ての入力キーの操作の無効化を解除するとともにキー入力待ちの状態となる（ステップＳ３６）。
【００６９】
【発明の効果】
上記目的を達成するため本発明のプッシュスイッチは、ノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記ノブトップとノブ主体との間に縮設されノブトップを常時上記第２の位置に方向に付勢するスプリングとからなり、上記ノブトップが上記第１又は上記第２の位置にあるときに、該ノブトップに上記スプリングに抗して押し込み力を付加することによりノブトップを第２又は第１の位置に変化させることができるようにしたものである。
【００７０】
この構成によれば、ノブトップに押し込み力を加えるだけで、ノブ主体に対するノブトップの位置を簡単に可変することができ、操作性に優れている。
【００７１】
また、本発明のプッシュスイッチは、外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カムに沿って摺動できるように上記ノブトップの内面に設けられた摺動ピンと、上記ノブトップとノブ主体との間に縮設されノブトップを常時上記第２の位置方向に付勢するスプリングとからなり、上記カム溝は上記ノブトップを上記第１及び第２の位置に保持するために上記摺動ピンを係止する第１及び第２の係合部を備え、上記ノブトップが上記第１又は第２の位置にあるとき該ノブトップに上記スプリングに抗して押し込み力を付加することにより上記摺動ピンを上記第１又は第２の係合部より離脱させ、その後は上記スプリングの復元力でノブトップを上記第２又は第１の位置に移動させるようにしたものである。
【００７２】
この発明によれば、ノブトップに押し込み力を加えるだけで、ノブ主体に対するノブトップの位置を簡単に可変することができる。しかも、この発明では摺動ピンを摺動ピンを第１及び第２の係合部に係止させることにより、ノブトップをノブ主体上の異なる２つの位置に保持させることができ、プッシュスイッチに優れた機能性と操作性を持たせることができる。
【００７３】
更に、上記ノブトップにスクロール機能を持たせていることから、プッシュスイッチの機能性と操作性をより向上させることができる。
【００７４】
また、上記ノブトップを押し込み操作することで入力操作ができるようにしているので、プッシュスイッチの機能性及び操作性を更に向上させることができる。
【００７５】
また、本発明の電子機器は、ノブ主体と、該ノブ主体に嵌合された筒状体よりなるものでノブ主体への嵌合量を変化させることにより上記ノブ主体に最も多く挿入された第１の位置と上記ノブ主体より最も多く抜け出した第２の位置とを取ることができるノブトップと、上記ノブトップと上記ノブ主体との間に縮設されノブトップを常時上記第２の位置方向に付勢するスプリングとからなるプッシュスイッチを備え、
上記ノブトップが上記第１又は第２の位置にあるときに、該ノブトップに上記スプリングに抗して押し込み力を付加することにより上記ノブトップを第２又は第１の位置に変化させるようにしたものである。
【００７６】
この構成によれば、ノブトップに押し込み力を加えるだけで、ノブ主体に対するノブトップの位置を簡単に可変することができ、操作性に優れた電子機器を提供することができる。
【００７７】
また、本発明の電子機器は、外周面に無端のカム溝を備えたノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、上記カム溝に係合し該カム溝に沿って摺動できるように上記ノブトップの内面に設けられた摺動ピンと、上記ノブトップとノブ主体との間に縮設され上記ノブトップを常時上記第２の位置方向に付勢するスプリングとからなるプッシュスイッチを備え、更に上記カム溝は上記ノブトップを上記第１及び第２の位置に保持するために上記摺動ピンを係止する第１及び第２の係合部を備え、
上記ノブトップが上記第１又は第２の位置にあるとき該ノブトップに上記スプリングに抗して押し込み力を付加することにより上記摺動ピンを上記第１又は第２の係合部より離脱させ、その後は上記スプリングの復元力で上記ノブトップを上記第２又は第１の位置に移動させるようにしたものである。
【００７８】
この発明によれば、ノブトップに押し込み力を加えるだけで、ノブ主体に対するノブトップの位置を簡単に可変することができる。しかも、この発明では摺動ピンを第１及び第２の係合部に係止させることによりノブトップをノブ主体上の異なる２つの位置に保持させることができ、プッシュスイッチに優れた機能性と操作性を持たせることができる。
【００７９】
そして、ロックスイッチを設け、該ロックスイッチを操作することにより上記プッシュスイッチの機能を無効化するようにすると、ロックスイッチを操作することでプッシュスイッチの機能を無効化できるので、より操作性に優れた電子機器を提供できる。
【００８０】
或いは、入力キー部のいずれかに特定のキーを所定時間操作することにより上記プッシュスイッチの機能を無効化するようにすると、入力キー部のいずれかの特定のキーを所定時間操作することでプッシュスイッチの機能を無効化できるので、より機能性に優れた電子機器を提供できる。
【００８１】
また、本発明の電子機器は、本体に対して蓋体を開閉するようにした折り畳み式の電子機器において、
該電子機器の本体にノブ主体と、該ノブ主体に嵌合された筒状体よりなるもので上記ノブ主体への嵌合量を変化させることにより上記ノブ主体に最も多く挿入された第１の位置と上記ノブ主体より最も多く抜け出した第２の位置とを取ることができるノブトップと、該ノブトップと上記ノブ主体との間に縮設され上記ノブトップを常時上記第２の位置方向に付勢するスプリングとからなるプッシュスイッチを設け、上記本体に対する上記蓋体の開閉動作に連動して上記ノブトップを上記第２及び第１の位置に変化させるものである。
【００８２】
この発明によれば、折り畳み式の電子機器の開閉、即ち折り畳み操作に連動してプッシュスイッチを操作することができ、操作に優れた電子機器を提供することができる。
【００８３】
また、入力キー部の全てのキー入力を無効にする無効化スイッチを設けると、無効化スイッチを操作しておくことで、入力キー部の全てのキー入力を無効にできるので、使用者の意図しない電源ＯＮを阻止して無駄な電池使用を抑制したり、誤動作を防止することができる。
【００８４】
或いは、入力キー部の特定のキーを所定時間操作することにより上記入力キー部の全てのキー入力操作を無効にするようにすると、使用者の意図しない電源ＯＮを阻止して無駄な電池使用を抑制したり、誤動作を防止することができる。更には、無効化スイッチを必要としないので、入力キー部のキーの数を増やすことなく、所定の目的を達成することができる。
【図面の簡単な説明】
【図１】    本発明に係る第１の実施形態のプッシュスイッチにおいて、ノブトップを第１の位置に設定した状態を示す斜視図である。
【図２】    同上プッシュスイッチの正面斜視図である。
【図３】    同上プッシュスイッチにおいて、ノブトップを第２の位置に設定した状態を示す斜視図である。
【図４】    同上プッシュスイッチの正面断面図である。
【図５】    （ａ）は同上プッシュスイッチにおけるノブ主体の筒体部の外周面に形成されたカム溝を示す斜視図であり、（ｂ）は同上プッシュスイッチにおけるカム溝の構造を示す拡大分解図である。
【図６】    本発明に係る第２の実施形態のプッシュスイッチにおいて、ノブトップを第１の位置に設定した状態を示す斜視図である。
【図７】    本発明の第３の実施形態として、本発明に係るプッシュスイッチを備えた携帯電話機の概略斜視図である。
【図８】    同上携帯電話において、プッシュスイッチを第２の位置に設定した状態を示す要部斜視図である。
【図９】    同上携帯電話において、プッシュスイッチを第２の位置に設定した状態を示す側面概略図である。
【図１０】  同上携帯電話において、プッシュスイッチを第１の位置に設定した状態を示す要部斜視図である。
【図１１】  同上携帯電話において、プッシュスイッチを第１の位置に設定した状態を示す側面概略図である。
【図１２】    本発明の第４の実施形態として、本発明に係るプッシュスイッチを備えた携帯電話機の概略斜視図である。
【図１３】  同上携帯電話機の動作説明に供されたフローチャートを示す図である。
【図１４】  本発明の第５の実施形態として、本発明に係るプッシュスイッチを備えた携帯電話機の動作説明に供されたフローチャートを示す図である。
【図１５】  本発明の第６の実施形態として、本発明に係るプッシュスイッチを２つ備えた携帯電話機の概略斜視図である。
【図１６】  同上携帯電話機の使用状態を示す図である。
【図１７】  本発明の第７の実施形態として、本発明に係るプッシュスイッチを備えた携帯電話機において、プッシュスイッチを第１の位置に設定した状態を示す要部断面概略図である。
【図１８】  同上携帯電話機のプッシュスイッチを第２の位置に設定した状態を示す要部断面概略図である。
【図１９】  本発明の第８の実施形態として、本発明に係るプッシュスイッチを備えた折り畳み式携帯電話機の概略斜視図である。
【図２０】  同上携帯電話機におけるプッシュスイッチのカム溝の構造を示す拡大分解図である。
【図２１】  同上取り畳み式携帯電話機を折り畳んだ状態でのプッシュスイッチの状態を示す要部概略断面図である。
【図２２】  同上取り畳み式携帯電話機を開いた状態でのプッシュスイッチの状態を示す要部概略断面図である。
【図２３】  本発明に係る第９の実施形態として、入力キー部の動作を無効にする無効化スイッチを備えた携帯電話機の動作説明に供されたフローチャートを示す図である。
【図２４】  本発明に係る第１０の実施形態として、入力キー部の動作を無効にする機能を入力キー部の特定のキーに持たせた携帯電話機の動作説明に供されたフローチャートを示す図である。
【符号の説明】
１    プッシュスイッチ
２    スイッチ本体
３    スイッチノブ
４    ノブ主体
５    ノブトップ
９    カム溝
１０    摺動ピン
１１    携帯電話機
１５    入力キー部
１７    ロックスイッチ
２０    無効化スイッチ
【図１】
0004497752.tif 000002
【図２】
0004497752.tif 000003
【図３】
0004497752.tif 000004
【図４】
0004497752.tif 000005
【図５】
0004497752.tif 000006
【図６】
0004497752.tif 000007
【図７】
0004497752.tif 000008
【図８】
0004497752.tif 000009
【図９】
0004497752.tif 000010
【図１０】
0004497752.tif 000011
【図１１】
0004497752.tif 000012
【図１２】
0004497752.tif 000013
【図１３】
0004497752.tif 000014
【図１４】
0004497752.tif 000015
【図１５】
0004497752.tif 000016
【図１６】
0004497752.tif 000017
【図１７】
0004497752.tif 000018
【図１８】
0004497752.tif 000019
【図１９】
0004497752.tif 000020
【図２０】
0004497752.tif 000021
【図２１】
0004497752.tif 000022
【図２２】
0004497752.tif 000023
【図２３】
0004497752.tif 000024
【図２４】
0004497752.tif 000025